(57)【要約】【課題】画像を表示していないスタンバイ状態であっても、外部メモリが取り外されるのを阻止するロック機構の状態を制御することができる画像表示装置、プロジェクタおよび画像表示装置の制御方法を得る。【解決手段】画像信号処理部と、画像を表示する画像表示部と、操作内容に応じた操作信号を入力するための操作信号入力部４３と、ロック解除操作情報が記憶される記憶部４４と、本体に接続された外部メモリ３が取り外されるのを阻止する外部メモリカバーロック機構６０と、外部メモリカバーロック機構６０のロック状態及び解除状態を制御する制御部２０とを備え、制御部２０は、画像表示部に画像を表示していないスタンバイ状態であって、操作信号入力部４３から受け取った１又は複数の操作信号が、ロック解除操作情報と一致するとき、外部メモリカバーロック機構６０を解除状態にする。【選択図】図１
2009198550.tif 000002
【特許請求の範囲】
【請求項１】
入力画像信号に基づいて表示画像用の画像信号を生成する画像信号処理部と、
前記画像信号処理部により生成された画像信号に基づいて画像を表示する画像表示部と、
操作内容に応じた操作信号を入力するための操作信号入力部と、
１又は複数の前記操作信号の入力順序及び入力時間の少なくとも一方の情報からなるロック解除操作情報が記憶される記憶部と、
本体に接続された外部メモリが取り外されるのを阻止する外部メモリロック機構と、
前記外部メモリロック機構のロック状態及び解除状態を制御する制御部と
を備え、
前記制御部は、
前記画像表示部に画像を表示していないスタンバイ状態であって、前記操作信号入力部から受け取った１又は複数の操作信号が、前記ロック解除操作情報と一致するとき、
前記外部メモリロック機構を解除状態にすることを特徴とする画像表示装置。
【請求項２】
前記記憶部は、
１又は複数の前記操作信号の入力順序及び入力時間の少なくとも一方の情報からなるロック設定操作情報が記憶され、
前記制御部は、
前記画像表示部に画像を表示していないスタンバイ状態であって、前記操作信号入力部から受け取った１又は複数の操作信号が、前記ロック設定操作情報と一致するとき、
前記外部メモリロック機構をロック状態にすることを特徴とする請求項１記載の画像表示装置。
【請求項３】
前記外部メモリの接続状態に関する表示を行う状態表示部を更に備え、
前記記憶部は、
１又は複数の前記操作信号の入力順序及び入力時間の少なくとも一方の情報からなる接続確認操作情報が記憶され、
前記制御部は、
前記操作信号入力部から受け取った１又は複数の操作信号が、前記接続確認操作情報と一致するとき、
前記外部メモリの接続の有無を検出し、当該接続の有無を識別する表示を前記状態表示部に表示させることを特徴とする請求項１又は２記載の画像表示装置。
【請求項４】
前記制御部は、
前記外部メモリロック機構が解除状態であって、且つ、前記外部メモリが接続されている状態を検出したとき、
ロック操作を促すメッセージ画面を前記画像表示部に表示させることを特徴とする請求項１〜３の何れかに記載の画像表示装置。
【請求項５】
前記制御部は、
前記操作信号入力部から電源オフの操作信号を受け取ったとき、前記外部メモリロック機構の状態及び前記外部メモリの接続の有無を検出し、
前記外部メモリロック機構が解除状態であって、且つ、前記外部メモリが接続されている状態を検出したとき、
ロック操作を促すメッセージ画面を前記画像表示部に表示させることを特徴とする請求項１〜３の何れかに記載の画像表示装置。
【請求項６】
入力画像信号に基づいて表示画像用の画像信号を生成する画像信号処理部と、
前記画像信号処理部により生成された画像信号に基づき、光源から射出された光束を変調する光変調部と、
前記光変調部により変調された光束を拡大投写する投写光学系と、
操作内容に応じた操作信号を入力するための操作信号入力部と、
１又は複数の前記操作信号の入力順序及び入力時間の少なくとも一方の情報からなるロック解除操作情報が記憶される記憶部と、
本体に接続された外部メモリが取り外されるのを阻止する外部メモリロック機構と、
前記外部メモリロック機構のロック状態及び解除状態を制御する制御部と
を備え、
前記制御部は、
画像を投写していないスタンバイ状態であって、前記操作信号入力部から受け取った１又は複数の操作信号が、前記ロック解除操作情報と一致するとき、
前記外部メモリロック機構を解除状態にすることを特徴とするプロジェクタ。
【請求項７】
本体に接続された外部メモリが取り外されるのを阻止する外部メモリロック機構を備え、入力画像信号に基づいて画像を表示する画像表示装置の制御方法であって、
１又は複数の操作信号の入力順序及び入力時間の少なくとも一方の情報からなるロック解除操作情報を取得するステップと、
１又は複数の操作信号を取得するステップと、
前記画像を表示していないスタンバイ状態であって、取得された前記１又は複数の操作信号が、前記ロック解除操作情報と一致するとき、前記外部メモリロック機構を解除状態にするステップと
を有することを特徴とする画像表示装置の制御方法。
【発明の詳細な説明】
【技術分野】
【０００１】
本発明は、外部メモリが接続される画像表示装置、プロジェクタおよび画像表示装置の制御方法に関する。
【背景技術】
【０００２】
従来の技術としては、例えば特許文献１に「入力される映像信号に基づき画像を表示するプロジェクタ装置に、前記映像信号を記憶するメモリ部を設け、メモリ部より読出した映像信号に基づき画像を表示するようにしたプロジェクタ装置。」が提案されている（例えば、請求項１を参照）。
【０００３】
また、例えば特許文献２に「誤操作防止モードに設定されたときに、前記装填蓋を閉じ位置に保持させるためのロック機構を前記カメラ本体に備えたことを特徴とするカメラ。」が提案されている（例えば、請求項１を参照）。
【０００４】
また、例えば特許文献３に「操作手段により所定の排出禁止操作がなされたとき、前記操作手段を前記エジェクト操作できない状態とし、または、前記操作手段の前記エジェクト操作にもかかわらず前記エジェクト手段を作動させないようにすることを特徴とする情報読取装置。」が提案されている（例えば、請求項１を参照）。
【０００５】
【特許文献１】特開２００１−２２８５３７号公報
【特許文献２】特開２００３−２６２９０５号公報
【特許文献３】特開２００７−５８９９５号公報
【発明の開示】
【発明が解決しようとする課題】
【０００６】
従来、例えば特許文献１のように、ＰＣ（Ｐｅｒｓｏｎａｌ  Ｃｏｍｐｕｔｅｒ）などの画像出力機器と接続せずに、メモリカードやＵＳＢメモリなどの外部メモリを本体に接続し、当該外部メモリに記録された画像情報などを投写するプロジェクタが提案されている。
【０００７】
このような装置本体に接続された外部メモリが取り外されることを防止するものとして、例えば特許文献２に、カメラにおいて、メモリカードのカバーをロックするロック機構を設け、暗証番号の入力操作でカバーをロック又は解除するものが提案されている。また、例えば特許文献３に、情報読取装置のメディアのエジェクト可否を、暗証番号の入力操作で設定するものが提案されている。
【０００８】
しかしながら、画像表示装置の場合、画像を表示していないスタンバイ状態では、上記のような暗証番号の入力操作を行うことができず、ロック機構の状態を制御することができない、という問題点があった。
【０００９】
本発明はこのような課題を解決するためになされたものであり、画像を表示していないスタンバイ状態であっても、外部メモリが取り外されるのを阻止するロック機構の状態を制御することができる画像表示装置、プロジェクタおよび画像表示装置の制御方法を得ることを目的とする。
【課題を解決するための手段】
【００１０】
本発明に係る画像表示装置は、入力画像信号に基づいて表示画像用の画像信号を生成する画像信号処理部と、前記画像信号処理部により生成された画像信号に基づいて画像を表示する画像表示部と、操作内容に応じた操作信号を入力するための操作信号入力部と、１又は複数の前記操作信号の入力順序及び入力時間の少なくとも一方の情報からなるロック解除操作情報が記憶される記憶部と、本体に接続された外部メモリが取り外されるのを阻止する外部メモリロック機構と、前記外部メモリロック機構のロック状態及び解除状態を制御する制御部とを備え、前記制御部は、前記画像表示部に画像を表示していないスタンバイ状態であって、前記操作信号入力部から受け取った１又は複数の操作信号が、前記ロック解除操作情報と一致するとき、前記外部メモリロック機構を解除状態にするものである。
本発明においては、スタンバイ状態であって、操作信号入力部から受け取った操作信号が、ロック解除操作情報と一致するとき、外部メモリロック機構を解除状態にするので、画像表示部に画像を表示することなく、外部メモリロック機構を解除状態にすることができ、利便性を向上させることができる。
【００１１】
本発明に係る画像表示装置においては、前記記憶部は、１又は複数の前記操作信号の入力順序及び入力時間の少なくとも一方の情報からなるロック設定操作情報が記憶され、前記制御部は、前記画像表示部に画像を表示していないスタンバイ状態であって、前記操作信号入力部から受け取った１又は複数の操作信号が、前記ロック設定操作情報と一致するとき、前記外部メモリロック機構をロック状態にするものである。
本発明においては、スタンバイ状態であって、操作信号入力部から受け取った操作信号が、ロック設定操作情報と一致するとき、外部メモリロック機構をロック状態にするので、画像表示部に画像を表示することなく、外部メモリロック機構をロック状態にすることができ、利便性を向上させることができる。
【００１２】
本発明に係る画像表示装置は、前記外部メモリの接続状態に関する表示を行う状態表示部を更に備え、前記記憶部は、１又は複数の前記操作信号の入力順序及び入力時間の少なくとも一方の情報からなる接続確認操作情報が記憶され、前記制御部は、前記操作信号入力部から受け取った１又は複数の操作信号が、前記接続確認操作情報と一致するとき、前記外部メモリの接続の有無を検出し、当該接続の有無を識別する表示を前記状態表示部に表示させるものである。
本発明においては、操作信号入力部から受け取った操作信号が、接続確認操作情報と一致するとき、外部メモリの接続の有無を検出し、当該接続の有無を識別する表示を状態表示部に表示するので、例えばスタンバイ状態であっても、外部メモリの接続の有無を把握することができる。
【００１３】
本発明に係る画像表示装置においては、前記制御部は、前記外部メモリロック機構が解除状態であって、且つ、前記外部メモリが接続されている状態を検出したとき、ロック操作を促すメッセージ画面を前記画像表示部に表示させるものである。
本発明においては、外部メモリロック機構が解除状態であって、且つ、外部メモリが接続されている状態を検出したとき、ロック操作を促すメッセージ画面を表示するので、外部メモリが接続状態のとき、外部メモリロック機構をロック状態のロック設定のし忘れを防止することができる。
【００１４】
本発明に係る画像表示装置においては、前記制御部は、前記操作信号入力部から電源オフの操作信号を受け取ったとき、前記外部メモリロック機構の状態及び前記外部メモリの接続の有無を検出し、前記外部メモリロック機構が解除状態であって、且つ、前記外部メモリが接続されている状態を検出したとき、ロック操作を促すメッセージ画面を前記画像表示部に表示させるものである。
本発明においては、電源オフの操作の際に外部メモリロック機構の状態及び外部メモリの接続の有無を検出して、外部メモリロック機構が解除状態であって、且つ、外部メモリが接続されている状態を検出したとき、ロック操作を促すメッセージ画面を表示するので、外部メモリが接続されているときに、外部メモリロック機構が解除状態のまま、電源オフされるのを防止することができる。
【００１５】
本発明に係るプロジェクタは、入力画像信号に基づいて表示画像用の画像信号を生成する画像信号処理部と、前記画像信号処理部により生成された画像信号に基づき、光源から射出された光束を変調する光変調部と、前記光変調部により変調された光束を拡大投写する投写光学系と、操作内容に応じた操作信号を入力するための操作信号入力部と、１又は複数の前記操作信号の入力順序及び入力時間の少なくとも一方の情報からなるロック解除操作情報が記憶される記憶部と、本体に接続された外部メモリが取り外されるのを阻止する外部メモリロック機構と、前記外部メモリロック機構のロック状態及び解除状態を制御する制御部とを備え、前記制御部は、画像を投写していないスタンバイ状態であって、前記操作信号入力部から受け取った１又は複数の操作信号が、前記ロック解除操作情報と一致するとき、前記外部メモリロック機構を解除状態にするものである。
本発明においては、スタンバイ状態であって、操作信号入力部から受け取った操作信号が、ロック解除操作情報と一致するとき、外部メモリロック機構を解除状態にするので、画像を投写することなく、外部メモリロック機構を解除状態にすることができ、利便性を向上させることができる。
【００１６】
本発明に係る画像表示装置の制御方法は、本体に接続された外部メモリが取り外されるのを阻止する外部メモリロック機構を備え、入力画像信号に基づいて画像を表示する画像表示装置の制御方法であって、１又は複数の操作信号の入力順序及び入力時間の少なくとも一方の情報からなるロック解除操作情報を取得するステップと、１又は複数の操作信号を取得するステップと、前記画像を表示していないスタンバイ状態であって、取得された前記１又は複数の操作信号が、前記ロック解除操作情報と一致するとき、前記外部メモリロック機構を解除状態にするステップとを有するものである。
本発明においては、スタンバイ状態であって、取得した操作信号が、ロック解除操作情報と一致するとき、外部メモリロック機構を解除状態にするので、画像を表示することなく、外部メモリロック機構を解除状態にすることができ、利便性を向上させることができる。
【発明を実施するための最良の形態】
【００１７】
実施の形態１．
図１は実施の形態１に係るプロジェクタの構成を示すブロック図である。図に示すように、プロジェクタ１は、光源１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、バラスト４０と、操作パネル４１と、リモコン受光部４２と、操作信号入力部４３と、記憶部４４と、状態表示部である発光ダイオード（以下「ＬＥＤ５０」という。）と、外部メモリカバーロック機構６０と、外部メモリ接続部７０とを備えている。
【００１８】
このプロジェクタ１は、外部メモリ接続部７０に接続された外部メモリ３に記録された画像情報、又は外部接続機器２から供給される入力画像信号に応じた画像光を投射して、スクリーン、白壁又はホワイトボード等の被投写体（以下「スクリーンＳＣ」という。）に拡大投写するものである。
また、例えば展示会など、多数の者が当該プロジェクタ１を操作し得る場所に設置される場合に、後述する動作により、外部メモリカバーロック機構６０をロック状態とし、外部メモリ３が取り外されるのを阻止するものである。
【００１９】
尚、液晶ライトバルブ駆動部１４、液晶ライトバルブ１２及び投写光学系１３は本発明における画像表示部に相当し、外部メモリカバーロック機構６０は本発明における外部メモリロック機構に相当する。
【００２０】
制御部２０は、画像入力部３１、画像信号処理部３２、バラスト４０、操作信号入力部４３、記憶部４４、ＬＥＤ５０、外部メモリカバーロック機構６０、および外部メモリ接続部７０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、外部メモリカバーロック機構６０のロック状態及び解除状態を制御する。
【００２１】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００２２】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、外部メモリ３から取得された画像情報、又は画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００２３】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像や、後述するロック操作を促すメッセージ画面などのＯＳＤ画像信号をフレーム画像信号と合成する処理を行う。具体的には、制御部２０が例えば記憶部４４から各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００２４】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、光源１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００２５】
バラスト４０は、制御部２０からの指示に従って、光源１１を点灯又は消灯させる光源駆動部であり、例えば光源１１が高圧放電灯の場合には、始動電圧を印加する点灯回路や、適正なランプ電流を供給する安定器などにより構成される。
【００２６】
操作パネル４１は、プロジェクタ１の本体に設けられており、電源オン／オフキー、入力画像切り換え操作を行う入力切換キー、後述するロック解除などの操作や画質調整等の操作を行うメニュー画像を表示させるメニューキー、メニュー画面等で例えばカーソルを上下左右に移動させて項目選択操作を行う選択キー、及びプロジェクタ１の状態変更等を行うための各種スイッチ類を有し、ユーザーによるキー操作に応じた操作信号を操作信号入力部４３に入力する。
【００２７】
リモートコントローラ（以下「リモコンＲＣ」という。）は、プロジェクタ１の外部に設けられ、上記操作パネル４１と同様な各種スイッチ類や０〜９までの数字キーなどを有し、ユーザーによるキー操作に応じた操作信号を送信する。そして、リモコンＲＣからの操作信号は、リモコン受光部４２を介して操作信号入力部４３に入力される。
【００２８】
操作信号入力部４３は、操作パネル４１又はリモコン受光部４２からの操作信号を受信し、操作内容に応じた操作信号を制御部２０へ入力する。
【００２９】
記憶部４４は、制御部２０が実行する制御プログラム、画質調整等を行う際のメニュー画像などのＯＳＤ画像を生成するためのＯＳＤ情報を記憶するとともに、プロジェクタ１の各種設定値等を記憶する。
【００３０】
また、この記憶部４４には、外部メモリカバーロック機構６０を解除状態とする操作手順（ロック解除操作手順）に関するロック解除操作情報、及び外部メモリ３の接続の有無を識別表示する操作手順（メモリ接続確認操作手順）に関する接続確認操作情報が予め記憶されている。
このロック解除操作情報及び接続確認操作情報は、１又は複数の操作信号の入力順序及び入力時間の情報からなるものである。入力順序（操作順序）の情報としては、例えば各操作キーに対応するキーコードの配列情報が登録され、入力時間（操作時間）の情報としては、例えば操作信号が入力される時間が所定時間以上（例えば３秒）のとき「長押し」とし、所定時間以下であるとき「短押し」として、何れの押し方であるかを識別する情報が登録される。尚、前記入力順序には入力の前後関係ばかりでなく同時も含まれるものである。
尚、本実施の形態では、ロック解除操作情報および接続確認操作情報が、予め記憶部４４に記憶されている場合を説明するが、これに限らず、ユーザーの操作によって任意の手順を登録するようにしても良い。
【００３１】
ＬＥＤ５０は、例えば発光ダイオード（Ｌｉｇｈｔ  Ｅｍｉｔｔｉｎｇ  Ｄｉｏｄｅ）からなり、後述する動作により、制御部２０からの制御により点灯、消灯、または点滅し、外部メモリ３の接続状態に関する表示を行う。
【００３２】
図２は実施の形態１に係る外部メモリカバーロック機構の構成を模式的に示す図である。図２に示すように、プロジェクタ１本体には、外部メモリ接続部７０に接続された外部メモリ３を覆う外部メモリカバー６１が開閉自在に設けられ、この外部メモリカバー６１を閉じ位置に保持することにより、本体に接続された外部メモリ３が取り外されるのを阻止する外部メモリカバーロック機構６０を備えている。
【００３３】
この外部メモリカバーロック機構６０は、例えばソレノイドやモータ及びギヤ機構等から構成され、制御部２０からの制御により作動し、外部メモリカバー６１を閉じ位置に保持するロック状態、又は外部メモリカバー６１の保持を解除して開閉自在とする解除状態にするものである。
尚、本発明における外部メモリロック機構は、外部メモリカバー６１をロックするものに限らず、外部メモリ３が取り外されるのを妨げるものであれば良く、例えば外部メモリ３自体を係止するものでも良い。
【００３４】
上記のような構成により本実施の形態のプロジェクタ１は、スタンバイ状態において、予め登録されたロック解除操作手順、またはメモリ接続確認操作手順と、ユーザーからの操作とが一致するか否かを判断して、外部メモリ３の接続の有無を識別する表示、または外部メモリカバーロック機構６０を解除状態とする。このような操作の詳細について次に説明する。
【００３５】
まず、外部メモリカバーロック機構６０をロック状態とする動作について説明する。
電源オン時において、ユーザーにより操作パネル４１又はリモコンＲＣのメニューキーが押下されると、操作信号入力部４３は、メニュー表示操作の操作信号を受信し、この操作信号を制御部２０へ入力する。制御部２０は、入力されたメニュー表示操作の操作信号によりメニュー表示動作を開始し、記憶部４４に記録されたメニュー画像に関するＯＳＤ情報を画像信号処理部３２に出力する。画像信号処理部３２は、入力されたメニュー画像に関する情報に基いて、メニュー画像を表示するＯＳＤ画像信号を生成する。そして、この画像信号に基づく画像光が投写光学系１３を介して射出され、メニュー画像が投写される。
【００３６】
このようなメニュー画像表示の際に、ユーザーによりカーソルキー、決定キーなどが操作され、ロック機構に係るメニューにおいて、外部メモリカバーロック機構６０をロック状態とする操作（ロック設定操作）が選択されると、制御部２０は外部メモリカバーロック機構６０をロック状態に制御する。外部メモリカバーロック機構６０は、制御部２０からの制御に基づき、例えばモータやギア機構等を動作させて外部メモリカバー６１を閉じ位置に保持する。この保持状態は電源オフ時（スタンバイ時）においても維持される。
【００３７】
上述した外部メモリカバーロック機構６０がロック状態において、ユーザーの操作により電源オフ操作がなされた後、スタンバイ状態におけるロック解除動作および外部メモリ接続確認動作について、図３に基づき次に説明する。
【００３８】
図３は実施の形態１に係るスタンバイ中の動作を示すフローチャートである。
画像を投写していないスタンバイ状態において、ユーザーにより操作パネル４１又はリモコンＲＣの操作がされると、操作信号入力部４３は、操作内容に応じた操作信号を受信し、この操作信号を制御部２０へ入力する。制御部２０は、操作信号が入力されるとスタンバイ中のキー入力検出動作を開始し（Ｓ１０１）、記憶部４４に記憶された接続確認操作情報を参照して、当該操作信号がメモリ接続確認操作手順の操作および操作時間と一致するか否かを判断する（Ｓ１０２）。
【００３９】
ステップＳ１０２の判断は、例えば入力された操作信号毎に逐次、接続確認操作情報の操作手順と対比することにより行うことができる。この場合、例えば接続確認操作情報の第１番目の手順がカーソル上キーであり、操作時間が短押しの場合、ユーザーの操作により操作パネル４１のカーソル上キーが操作され、操作時間が３秒未満である場合は、第１番目の手順が一致すると判断する。第２番目以降も同様に逐次判断する。
尚、ステップＳ１０２の判断は、これに限らず、メモリ接続確認操作手順の全ての手順が終了した時点で、記録された接続確認操作情報と対比するようにしても良い。例えば当該手順として４つの操作が登録されているとき、４つの操作信号を取得した時点で、接続確認操作情報の手順と対比する。
【００４０】
上記ステップＳ１０２において、入力された操作信号がメモリ接続確認操作手順の操作および操作時間と一致すると判断したとき、制御部２０は、外部メモリ接続部７０に外部メモリ３が接続されているか否かを検出する（Ｓ１０３）。外部メモリ接続部７０に外部メモリ３が接続されていない場合はスタンバイ中のキー検出動作を終了する（Ｓ１０７）。
【００４１】
一方、外部メモリ３の接続を検出した場合、制御部２０は、ＬＥＤ５０に例えば所定間隔の点滅表示などの所定パターン表示をさせる（Ｓ１０４）。
尚、ＬＥＤ５０の点灯パターンは、点滅表示に限るものでなく、外部メモリ３の接続の有無を識別する表示であれば良い。例えば、接続されている場合にはＬＥＤ５０を点灯させ、接続されていない場合にはＬＥＤ５０を消灯させるようにしても良い。
【００４２】
上記ステップＳ１０２において、入力された操作信号がメモリ接続確認操作手順の操作および操作時間と一致しないと判断したとき、制御部２０は、記憶部４４に記憶されたロック解除操作情報を参照して、当該操作信号がロック解除操作手順の操作および操作時間と一致するか否かを判断する（Ｓ１０５）。尚、この判断動作はステップＳ１０２の判断動作と同様である。そして、入力された操作信号がロック解除操作手順の操作および操作時間と一致しないと判断した場合は、スタンバイ中のキー検出動作を終了する（Ｓ１０７）。
【００４３】
一方、ステップＳ１０５において、入力された操作信号がロック解除操作手順の操作および操作時間と一致すると判断した場合、制御部２０は外部メモリカバーロック機構６０を解除状態に制御する。外部メモリカバーロック機構６０は、制御部２０からの制御に基づき、例えばモータやギア機構等を動作させて、外部メモリカバー６１の保持を解除する（Ｓ１０６）。
【００４４】
このような動作により、スタンバイ状態において、外部メモリ３の接続有無の識別表示、および外部メモリカバーロック機構６０の動作制御を行うことが可能になる。
【００４５】
以上のように本実施の形態１においては、スタンバイ状態であっても、入力された操作信号が、ロック解除操作情報と一致するとき、外部メモリカバーロック機構６０を解除状態にするので、ロック解除の操作のために、電源オン操作を行って光源１１を点灯させて画像を投写する必要がなく、利便性を向上させることができる。
【００４６】
また、画像を投写する必要がないので、ユーザーは、光源１１の点灯までの時間、および消灯時のクールダウン処理時間を待つ必要がない。
【００４７】
また、入力された操作信号が、接続確認操作情報と一致するとき、外部メモリ３の接続の有無を検出し、当該接続の有無を識別する表示をするので、例えばスタンバイ状態であっても、外部メモリ３の接続の有無を把握することができる。
【００４８】
また、外部メモリ３の接続の有無を識別する表示をするので、外部メモリカバーロック機構６０がロック状態のとき、ユーザーは、当該ロックを解除して外部メモリカバー６１を開けて接続状態を確認する必要が無く、利便性が向上する。
【００４９】
また、入力された操作信号が、ロック解除操作情報と一致するとき、外部メモリカバーロック機構６０を解除状態にするので、ロック解除操作手順を知らない者による外部メモリ３の取り外しを防止することができる。
これにより、例えば展示会など、多数の者がプロジェクタ１を操作し得る場所に設置される場合、本体に接続された外部メモリ３の盗難防止および悪戯防止を図ることができる。
【００５０】
尚、上記説明ではロック解除操作手順の操作がなされたときに、ロック解除を行う場合の動作について説明したが、例えばリモコンＲＣの操作キーが操作され、リモコン受光部４２を介して操作信号が制御部２０に入力されたときは、制御部２０は、ロック解除操作手順にかかわらず、ロック解除してもよい。これにより、リモコンＲＣからの何らかの操作により、ロック解除ができ、利便性を向上させることができる。例えば展示会などで設置される場合、リモコンＲＣを本体と別の場所に保管する場合は有用である。
【００５１】
尚、本実施の形態１では、状態表示部としてＬＥＤ５０を用いる場合を説明したが、本発明はこれに限るものでなく、外部メモリ３の接続の有無を識別することができれば良く、例えば、ランプ、本体に設けた小型液晶パネルなど、任意の手段を用いても良い。
【００５２】
尚、上記説明では、スタンバイ状態において、外部メモリ３の接続確認およびロック解除操作を行う場合を説明したが、スタンバイ中に限らず、電源オン中においても上記動作を行っても良い。
【００５３】
実施の形態２．
上記実施の形態１では、スタンバイ状態において、外部メモリカバーロック機構６０を解除状態とする場合を説明したが、本実施の形態２では、外部メモリカバーロック機構６０をロック状態とする。
【００５４】
本実施の形態２における記憶部４４には、外部メモリカバーロック機構６０をロック状態とする操作手順（ロック設定操作手順）に関するロック設定操作情報が記憶される。
そして、制御部２０は、上述した実施の形態１と同様に、スタンバイ状態において、ロック設定操作手順と、ユーザーからの操作とが一致するか否かを判断して、一致するとき、外部メモリカバーロック機構６０をロック状態とする。
【００５５】
これにより本実施の形態２においては、スタンバイ状態であっても、入力された操作信号が、ロック設定操作情報と一致するとき、外部メモリカバーロック機構６０をロック状態にするので、ロック設定の操作のために、電源オン操作を行って光源１１を点灯させて画像を投写する必要がなく、利便性を向上させることができる。
【００５６】
実施の形態３．
本実施の形態では、電源オフ時に外部メモリカバーロック機構６０の状態及び外部メモリ３の接続の有無を検出し、外部メモリカバーロック機構６０が解除状態であって、且つ、外部メモリ３が接続されている状態のとき、ロック操作を促すメッセージ画面を投写する。以下、本実施の形態３における動作について図に基づき説明する。
【００５７】
図４は実施の形態３に係る電源オフ時の動作を示すフローチャート、図５は実施の形態３に係るロック操作確認画面を示す図である。
ユーザーにより操作パネル４１又はリモコンＲＣの操作キーから、電源オフキーが押下されると、操作信号入力部４３は、当該操作の操作信号を受信し、この操作信号を制御部２０へ入力する。制御部２０は入力された操作信号により電源オフ操作を検出し（Ｓ２０１）、外部メモリ接続部７０に外部メモリ３が接続されているか否かを検出する（Ｓ２０２）。
【００５８】
外部メモリ接続部７０に外部メモリ３が接続されていない場合、制御部２０は、バラスト４０に対して光源１１の消灯を指示し、所定のクールダウン処理を行って、プロジェクタ１をスタンバイ状態に移行させ（Ｓ２０７）、電源オフ操作を終了する（Ｓ２０８）。
【００５９】
一方、外部メモリ接続部７０に外部メモリ３が接続されている場合、制御部２０は、外部メモリカバーロック機構６０がロック状態であるか否かを判断する（Ｓ２０３）。外部メモリカバーロック機構６０が解除状態である場合、制御部２０は、上記と同様にプロジェクタ１をスタンバイ状態に移行させ（Ｓ２０７）、電源オフ操作を終了する（Ｓ２０８）。
【００６０】
一方、外部メモリカバーロック機構６０がロック状態であると判断した場合、制御部２０は、記憶部４４に記録されたロック操作を促すメッセージ画面の画像情報を画像信号処理部３２に取得させて、外部メモリ３が接続されている旨を表示し、外部メモリカバー６１をロックするか否かを確認するメッセージを含むＯＳＤ画像信号を生成させる。そして、この画像信号に基づく画像光が投写光学系１３を介して射出され、例えば図５に示すようなロック操作を促すメッセージ画面１００が投写される（Ｓ２０４）。
【００６１】
このような表示の際に、ユーザーによりカーソルキー、決定キーなどが操作され、ロック設定操作（例えば「Ｙｅｓ」キー）が選択されると、ロック設定操作の操作信号が制御部２０に入力され、制御部２０はロック設定操作がされたと判断する（Ｓ２０５）。そして、制御部２０は外部メモリカバーロック機構６０をロック状態に制御する。外部メモリカバーロック機構６０は、制御部２０からの制御に基づき、例えばモータやギア機構等を動作させて外部メモリカバー６１を閉じ位置に保持する（Ｓ２０６）。
【００６２】
そして、制御部２０は、バラスト４０に対して光源１１の消灯を指示し、所定のクールダウン処理を行って、プロジェクタ１をスタンバイ状態に移行させ（Ｓ２０７）、電源オフ操作を終了する（Ｓ２０８）。
【００６３】
一方、ステップＳ２０５において、ユーザーによりカーソルキー、決定キーなどが操作され、ロック設定操作を行わない旨の操作（例えば「Ｎｏ」キー）が選択された場合、制御部２０は、外部メモリカバーロック機構６０が解除状態のまま、上記と同様にプロジェクタ１をスタンバイ状態に移行させ（Ｓ２０７）、電源オフ操作を終了する（Ｓ２０８）。
【００６４】
以上のように本実施の形態においては、電源オフの操作の際に外部メモリカバーロック機構６０の状態及び外部メモリ３の接続の有無を検出して、外部メモリカバーロック機構６０が解除状態であって、且つ、外部メモリ３が接続されている状態を検出したとき、ロック操作を促すメッセージ画面を表示するので、外部メモリ３が接続されているときに、外部メモリカバーロック機構６０が解除状態のまま、電源オフされるのを防止することができる。
【００６５】
これにより、例えば展示会など、多数の者がプロジェクタ１を操作し得る場所に設置される場合、本体に接続された外部メモリ３の盗難防止および悪戯防止を図ることができる。
【００６６】
尚、本実施の形態３では、電源オフ操作の際に、外部メモリカバーロック機構６０の状態及び外部メモリ３の接続の有無を検出し、ロック操作を促すメッセージ画面を投写する場合を説明したが、本発明はこれに限るものではなく、電源オフ操作時に限らず、任意のタイミングで当該メッセージを投写するようにしても良い。
【００６７】
実施の形態４．
上記実施の形態１〜３では、記憶部４４に予め、ロック解除操作情報、ロック設定操作情報、および接続確認操作情報が登録されている場合を説明したが、本実施の形態では、ユーザーの操作により任意の操作手順を登録するものである。尚、プロジェクタ１の構成およびスタンバイ中のメモリ確認動作、ロック解除・設定動作は上記実施の形態と同様である。以下、操作手順登録動作について図６および図７を用いて説明する。
【００６８】
図６は実施の形態４に係る操作手順登録の画面表示を示す図である。
ユーザーにより操作パネル４１又はリモコンＲＣのメニューキーが押下されると、操作信号入力部４３は、メニュー表示操作の操作信号を受信し、この操作信号を制御部２０へ入力する。制御部２０は、入力されたメニュー表示操作の操作信号によりメニュー表示動作を開始し、記憶部４４に記録されたメニュー画像に関するＯＳＤ情報を画像信号処理部３２に出力する。画像信号処理部３２は、入力されたメニュー画像に関する情報に基いて、メニュー画像を表示するＯＳＤ画像信号を生成する。そして、この画像信号に基づく画像光が投写光学系１３を介して射出され、メニュー画像が投写される。
【００６９】
このようなメニュー表示の際に、ユーザーによりカーソルキー、決定キーなどが操作され、「操作手順登録」に係るメニューが選択されると、例えば図６に示すように、「メモリ接続確認操作手順」及び「ロック解除操作手順」の設定メニュー１１０が投写画像Ｇ１に表示される。そしてユーザーによるキー操作により、上記設定メニュー１１０の何れかを選択する操作がなされると、制御部２０は、当該選択された操作手順の登録動作を開始する。例えば「メモリ接続確認操作手順」が選択された場合の動作を図７に基づき次に説明する。
【００７０】
図７は実施の形態４に係るメモリ接続確認操作手順登録の動作フローチャートである。
制御部２０は、上述した設定メニュー１１０から「メモリ接続確認操作手順」が選択されるとメモリ接続確認操作手順の登録動作を開始し（Ｓ３０１）、ユーザーが登録キーを入力するまで待機状態となる（Ｓ３０２）。ユーザーにより任意に選択された操作パネル４１のキー操作がなされると、制御部２０は、当該操作信号を接続確認操作における第１番目の手順として取得し、当該操作キーを表示する（Ｓ３０３）。例えばメニューキーが操作されると図６に示すように、メモリ接続確認操作手順の第１番目に「ＭＥＮＵ」が表示される。
【００７１】
次に制御部２０は、登録された操作キーの操作時間の情報が入力されるまで待機状態となる（Ｓ３０４）。ユーザーによりカーソルキー、決定キーなどが操作され、当該操作キーの操作時間が選択されると、制御部２０は、当該操作時間を第１番目の手順における操作時間の情報として取得する。図６に示すように、設定メニュー１１０から長押し又は短押しの何れの押し方であるかを選択して、長押しの場合は操作時間が３秒以上、短押しの場合は操作時間が３秒未満である旨の情報を取得する。例えば設定メニュー１１０から「ＭＥＮＵ」キーに対する操作時間を「長」と選択すると、メニューキーの操作時間が３秒以上である旨を取得する。
【００７２】
次に制御部２０は、操作手順の登録が終了したか否かを判断し、終了するまで上記ステップＳ３０２〜Ｓ３０４を繰り返す（Ｓ３０５）。この手順終了の判断は、例えば登録した操作キーの数が所定数に達したとき、又はユーザーにより登録終了の操作がなされたときに操作手順の登録が終了したと判断する。そして登録操作が終了すると、制御部２０は、当該操作順序および操作時間の情報を接続確認操作情報として記憶部４４に格納する。尚、既に情報が格納されている場合には当該情報を更新する。例えば、図６において、第１番目の手順として「ＭＥＮＵ」が操作され、操作時間として「長」が選択された時点で、ユーザーの操作により設定メニュー１１０から「登録」が選択されると操作手順の登録が終了したと判断して、第１番目の手順および当該操作時間の情報が記憶部４４に記憶される。
【００７３】
尚、上記設定メニュー１１０から「ロック解除操作手順」が選択された場合についても、上記メモリ接続確認操作手順と同様の動作により、ロック解除操作手順の操作順序および操作時間を登録する。例えばロック解除操作手順として図６に示すように、カーソル上キー、カーソル左キー、カーソル右キー、戻るキー、決定キー、決定キーなどを登録し、各操作キーに任意の操作時間を設定することができる。また、ロック設定操作手順についても同様の動作により登録することができる。
【００７４】
以上のように本実施の形態においては、上記実施の形態１〜３の効果に加え、ユーザーの操作により、任意の操作手順を登録でき、利便性を向上させることができる。
【００７５】
尚、上記実施の形態１〜４では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【００７６】
尚、上記実施の形態１〜４では、画像表示装置としてプロジェクタを説明したが、本発明はこれに限定するものではなく、本体に外部メモリが接続され、入力画像信号に基づいて画像を表示する画像表示装置であれば良い。例えば、ＣＲＴディスプレイ、液晶パネル（ＬＣＤ）、プラズマディスプレイ（ＰＤＰ）、有機ＥＬディスプレイなどを備えた、パーソナルコンピュータ、液晶テレビ、プラズマテレビなどでも良い。
【図面の簡単な説明】
【００７７】
【図１】実施の形態１に係るプロジェクタの構成を示すブロック図である。
【図２】実施の形態１に係る外部メモリカバーロック機構の構成を模式的に示す図である。
【図３】実施の形態１に係るスタンバイ中の動作を示すフローチャートである。
【図４】実施の形態３に係る電源オフ時の動作を示すフローチャートである。
【図５】実施の形態３に係るロック操作確認画面を示す図である。
【図６】実施の形態４に係る操作手順登録の画面表示を示す図である。
【図７】実施の形態４に係るメモリ接続確認操作手順登録の動作フローチャートである。
【符号の説明】
【００７８】
１  プロジェクタ、２  外部接続機器、３  外部メモリ、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４０  バラスト、４１  操作パネル、４２  リモコン受光部、４３  操作信号処理部、４４  記憶部、６０  外部メモリカバーロック機構、６１  外部メモリカバー、７０  外部メモリ接続部、１００  メッセージ画面、１１０  設定メニュー、ＲＣ  リモコン、ＳＣ  スクリーン。
【図１】
2009198550.tif 000003
【図２】
2009198550.tif 000004
【図３】
2009198550.tif 000005
【図４】
2009198550.tif 000006
【図５】
2009198550.tif 000007
【図６】
2009198550.tif 000008
【図７】
2009198550.tif 000009